【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
無線通信システムにおいて動作可能な無線装置であって、
プロファイルに基づいて無線ネットワークと通信するように構成された発見エンジンと、前記プロファイルは、定義された用途パラメータを有し、前記発見エンジンは、前記プロファイルの選択を示す入力をアプリケーションから受信するように構成され、前記発見エンジンは、前記アプリケーションから１つまたは複数の属性を受信し、前記１つまたは複数の属性を用いて前記プロファイルを設定するようにさらに構成され、前記属性は、前記アプリケーションによって定義されたようないくつかの機能を実行するように前記プロファイルを設定するための情報を含み、
１つまたは複数のプロファイルを格納するように構成されたメモリ・ユニットと、
前記発見エンジンと通信する第１のプロセッサと、前記第１のプロセッサは、前記アプリケーションを実行し、前記プロファイルの選択を前記発見エンジンに通信し、前記選択されたプロファイルの属性を前記発見エンジンへ提供するように構成され、
を備え、
前記発見エンジンは、受信したパケットを、前記属性および前記プロファイルに基づいてフィルタするようにさらに構成され、
前記発見エンジンは、前記属性および前記プロファイルに基づいて、参加する近隣エリア・ネットワーク（ＮＡＮ）を探索するようにさらに構成され、前記発見エンジンは、ＮＡＮが発見されることができないのであれば、前記属性およびプロファイルに基づいてＮＡＮを確立するように構成された、装置。
【請求項２】
第２のプロセッサ、前記第２のプロセッサは前記発見エンジンを備える、
をさらに備える、請求項１に記載の装置。
【請求項３】
前記発見エンジンは、前記選択されたプロファイルを用いて、ＮＡＮと通信するようにさらに構成された、請求項１に記載の装置。
【請求項４】
前記発見エンジンは、前記属性および前記プロファイルに基づいて、参加するＮＡＮを識別するようにさらに構成された、請求項１に記載の装置。
【請求項５】
前記発見エンジンは、前記識別された、参加するＮＡＮのタイミングとの同期をとるようにさらに構成された、請求項４に記載の装置。
【請求項６】
前記装置は送信機をさらに備え、前記発見エンジンは、前記送信機に発見フレームを通信するようにさらに構成され、前記送信機は、前記識別されたＮＡＮに前記発見フレームを送信するように構成された、請求項４に記載の装置。
【請求項７】
前記発見エンジンは、前記装置がＮＡＮへの参加に成功した場合、前記アプリケーションによって提供および選択されたプロファイルおよび属性に基づいて、前記第１のプロセッサと通信するように構成された、請求項６に記載の装置。
【請求項８】
ネットワークにおいて通信している近隣エリア・デバイスと無線デバイスとの間の通信のための無線通信の方法であって、
アプリケーションに１または複数の通信プロファイルの選択を提供することと、
前記提供されたプロファイルのうちの１つの選択を、前記アプリケーションから受信することと、
機能を実行するように前記プロファイルを設定するための情報を含む１つまたは複数の属性を受信することと、
前記プロファイルに前記属性を追加することと、
少なくとも前記追加されたプロファイルに基づいて、前記無線デバイスと少なくとも１つの近隣エリア・ネットワーク（ＮＡＮ）との間の通信を確立することと、
を備え、
発見エンジンが前記通信を確立し、前記方法は、前記発見エンジンが、前記アプリケーションを実行している第１のプロセッサと、前記ＮＡＮとの通信に関する情報を通信することをさらに備え、
前記発見エンジンは、受信したパケットを、前記属性および前記プロファイルに基づいてフィルタし、
前記発見エンジンは、前記属性および前記プロファイルに基づいて、参加するためのＮＡＮを探索し、前記発見エンジンは、ＮＡＮが発見されることができないのであれば、前記属性およびプロファイルに基づいて、ＮＡＮを確立する、方法。
【請求項９】
複数の通信プロファイルが、前記無線デバイスのメモリに格納され、前記格納されたプロファイルの少なくともサブセットの各々が、ユニークなパラメータのセットを有し、前記パラメータは、予め決定されたコンテキストにおける使用のためのプロファイルを提供するように選択される、請求項８に記載の方法。
【請求項１０】
受信された情報を含む前記１つまたは複数の属性は、前記選択されたプロファイルに存在するパラメータの前記セットに関連するものに限定される、請求項９に記載の方法。
【請求項１１】
前記選択されたプロファイルに存在するパラメータの前記セットに関連する１または複数の属性が、前記プロファイルによって予め定義されている、請求項１０に記載の方法。
【請求項１２】
前記受信された属性のうちの１つまたは複数は、前記プロファイルによって予め決定された属性を修正する、請求項１１に記載の方法。
【請求項１３】
前記格納されたプロファイルのうちの少なくとも１つは、サービスを求める問い合わせ、既存のＮＡＮを発見すること、ＮＡＮを開始すること、ＮＡＮに参加すること、および既存のＮＡＮを別のＮＡＮとマージすることから成るグループから選択される１つまたは複数の機能を実行するように構成された、請求項９に記載の方法。
【請求項１４】
ＮＡＮを開始する前記機能を実行するように構成されたプロファイルは、識別子、デバイス位置、タイミング・ソース、通知モード、タイミングのためのインターバル、および問い合わせ応答から成るグループから選択される１つまたは複数のパラメータを有する、請求項１３に記載の方法。
【請求項１５】
請求項８乃至１４のいずれかの方法を実行するための命令を備えた、コンピュータプログラム。
【手続補正２】
【補正対象書類名】明細書
【補正対象項目名】００７７
【補正方法】変更
【補正の内容】
【００７７】
[0079]同様に、これら動作は、特定の順序で図中に示されているが、これは、所望される結果を達成するために、このような動作が、図示された特定の順序または連続順で実行されることも、例示されたすべての動作が実行されることも、必要であるとは理解されるべきではない。ある状況では、マルチタスクおよび並行処理が有利でありうる。さらに、前述された実施におけるさまざまなシステム構成要素を分離することは、すべての実施においてこのような分離を必要とするとは理解されるべきではなく、記載されたプログラム構成要素およびシステムは、一般に、単一のソフトウェア製品内にともに組み込まれうるか、複数のソフトウェア製品にパッケージされうることが理解されるべきである。さらに、その他の実施は、以下に示す特許請求の範囲の範囲内にある。いくつかのケースでは、特許請求の範囲において記載された動作は、別の順序で実行され、依然として所望の結果を達成しうる。
以下に、本願出願の当初の特許請求の範囲に記載された発明を付記する。
［Ｃ１］
無線通信システムにおいて動作可能な無線装置であって、
プロファイルに基づいて無線ネットワークと通信するように構成された発見エンジン、前記プロファイルは、定義された用途パラメータを有し、前記発見エンジンは、プロファイルの選択を示す入力をアプリケーションから受信するように構成され、前記発見エンジンは、前記アプリケーションから１つまたは複数の属性を受信し、前記１つまたは複数の属性を用いて前記プロファイルを設定するようにさらに構成され、前記属性は、前記アプリケーションによって定義されたようないくつかの機能を実行するように前記プロファイルを設定するための情報を含む、
を備える、装置。
［Ｃ２］
１つまたは複数のプロファイルを格納するように構成されたメモリ・ユニットと、
前記発見エンジンと通信する第１のプロセッサと、前記第１のプロセッサは、前記アプリケーションを実行し、プロファイルの選択を前記発見エンジンに通信し、前記選択されたプロファイルの属性を前記発見エンジンへ提供するように構成された、
をさらに備える、Ｃ１に記載の装置。
［Ｃ３］
第２のプロセッサ、前記第２のプロセッサは前記発見エンジンを備える、
をさらに備えるＣ２に記載の装置。
［Ｃ４］
前記発見エンジンは、前記選択されたプロファイルを用いて、近隣エリア・ネットワーク（ＮＡＮ）と通信するようにさらに構成された、Ｃ２に記載の装置。
［Ｃ５］
前記発見エンジンは、受信したパケットを、前記属性および前記プロファイルに基づいてフィルタするようにさらに構成された、Ｃ２に記載の装置。
［Ｃ６］
前記発見エンジンは、前記属性および前記プロファイルに基づいて、参加するＮＡＮを識別するようにさらに構成された、Ｃ５に記載の装置。
［Ｃ７］
前記発見エンジンは、前記識別された、参加するＮＡＮのタイミングとの同期をとるようにさらに構成された、Ｃ６に記載の装置。
［Ｃ８］
前記装置は送信機をさらに備え、前記発見エンジンは、前記送信機に発見フレームを通信するようにさらに構成され、前記送信機は、前記識別されたＮＡＮに前記発見フレームを送信するように構成された、Ｃ６に記載の装置。
［Ｃ９］
前記発見エンジンは、前記装置がＮＡＮへの参加に成功した場合、前記アプリケーションによって提供および選択されたプロファイルおよび属性に基づいて、前記第１のプロセッサと通信するように構成された、Ｃ８に記載の装置。
［Ｃ１０］
前記発見エンジンは、前記属性および前記プロファイルに基づいて、参加するＮＡＮを探索するようにさらに構成され、前記発見エンジンは、ＮＡＮが発見されることができないのであれば、前記属性およびプロファイルに基づいてＮＡＮを確立するように構成された、Ｃ５に記載の装置。
［Ｃ１１］
前記発見エンジンは、前記装置がＮＡＮを確立することに成功した場合、前記属性および前記プロファイルに基づいて、前記第１のプロセッサと通信するように構成された、Ｃ１０に記載の装置。
［Ｃ１２］
前記メモリ・ユニットは、複数のプロファイルを格納するように構成され、前記格納されたプロファイルの少なくともサブセットの各々が、ユニークなパラメータのセットを有し、前記パラメータは、予め決定されたコンテキストにおける使用のためのプロファイルを提供するように選択される、Ｃ５に記載の装置。
［Ｃ１３］
前記アプリケーションから受信された前記１つまたは複数の属性は、前記選択されたプロファイルに存在するパラメータの前記セットに関連するものに限定される、Ｃ１２に記載の装置。
［Ｃ１４］
前記選択されたプロファイルに存在するパラメータの前記セットに関連する前記１つまたは複数の属性は、前記プロファイルによって予め定義される、Ｃ１３に記載の装置。
［Ｃ１５］
前記アプリケーションから受信された前記属性のうちの１つまたは複数は、前記プロファイルによって予め決定された属性を修正する、Ｃ１４に記載の装置。
［Ｃ１６］
前記格納されたプロファイルのうちの少なくとも１つは、サービスを求める問い合わせ、既存のＮＡＮを発見すること、ＮＡＮを開始すること、ＮＡＮに参加すること、および既存のＮＡＮを別のＮＡＮとマージすることから成るグループから選択される１つまたは複数の機能を実行するように構成された、Ｃ１２に記載の装置。
［Ｃ１７］
ＮＡＮを開始する機能を実行するように構成されたプロファイルは、識別子、デバイス位置、タイミング・ソース、通知モード、タイミングのためのインターバル、および問い合わせ応答から成るグループから選択される１つまたは複数のパラメータを有する、Ｃ１６に記載の装置。
［Ｃ１８］
前記アプリケーションから受信された前記１つまたは複数の属性は、前記パラメータのうちの１つまたは複数のうちの少なくとも１つを定義する、Ｃ１７に記載の装置。
［Ｃ１９］
ＮＡＮに参加する機能を実行するように構成されたプロファイルは、探索するためのサービス識別子、デバイス識別子、探索動作のタイム・アウト、タイミングおよびチャネル情報、１つよりも多くのＮＡＮが存在する場合にＮＡＮを選択するための選択基準から成るグループから選択される１つまたは複数のパラメータを有する、Ｃ１６に記載の装置。
［Ｃ２０］
前記アプリケーションから受信された前記１つまたは複数の属性は、前記パラメータのうちの１つまたは複数のうちの少なくとも１つを定義する、Ｃ１９に記載の装置。
［Ｃ２１］
サービスを求める問い合わせの機能を実行するように構成されたプロファイルは、探索するためのサービス識別子、結果を返す前に蓄積する結果の数、探索問い合わせのタイム・アウト、問い合わせするためのＮＡＮのタイミング・パラメータから成るグループから選択される１つまたは複数のパラメータを有する、Ｃ１６に記載の装置。
［Ｃ２２］
前記アプリケーションから受信された前記１つまたは複数の属性は、前記パラメータのうちの１つまたは複数のうちの少なくとも１つを定義する、Ｃ２１に記載の装置。
［Ｃ２３］
前記発見エンジンは、前記選択されたプロファイルおよび提供された属性に従って、前記無線ネットワークとの通信に関する情報を前記第１のプロセッサへ通信するように構成された、Ｃ５に記載の装置。
［Ｃ２４］
ネットワークにおいて通信している近隣エリア・デバイスと無線デバイスとの間の通信のための無線通信の方法であって、
アプリケーションに１または複数の通信プロファイルの選択を提供することと、
前記提供されたプロファイルのうちの１つの選択を、前記アプリケーションから受信することと、
機能を実行するように前記プロファイルを設定するための情報を含む１つまたは複数の属性を受信することと、
前記プロファイルに前記属性を追加することと、
少なくとも前記追加されたプロファイルに基づいて、前記無線デバイスと少なくとも１つの近隣エリア・ネットワークとの間の通信を確立することと、
を備える、方法。
［Ｃ２５］
複数の通信プロファイルが、前記無線デバイスのメモリに格納され、前記格納されたプロファイルの少なくともサブセットの各々が、ユニークなパラメータのセットを有し、前記パラメータは、予め決定されたコンテキストにおける使用のためのプロファイルを提供するように選択される、Ｃ２４に記載の方法。
［Ｃ２６］
前記受信された情報を含む１つまたは複数の属性は、前記選択されたプロファイルに存在するパラメータのセットに関連するものに限定される、Ｃ２５に記載の方法。
［Ｃ２７］
前記選択されたプロファイルに存在するパラメータのセットに関連する１または複数の属性が、前記プロファイルによって予め定義されている、Ｃ２６に記載の方法。
［Ｃ２８］
前記受信された属性のうちの１つまたは複数は、前記プロファイルによって予め決定された属性を修正する、Ｃ２７に記載の方法。
［Ｃ２９］
前記格納されたプロファイルのうちの少なくとも１つは、サービスを求める問い合わせ、既存のＮＡＮを発見すること、ＮＡＮを開始すること、ＮＡＮに参加すること、および既存のＮＡＮを別のＮＡＮとマージすることから成るグループから選択される１つまたは複数の機能を実行するように構成された、Ｃ２５に記載の方法。
［Ｃ３０］
ＮＡＮを開始する機能を実行するように構成されたプロファイルは、識別子、デバイス位置、タイミング・ソース、通知モード、タイミングのためのインターバル、および問い合わせ応答から成るグループから選択される１つまたは複数のパラメータを有する、Ｃ２９に記載の方法。
［Ｃ３１］
前記アプリケーションから受信された前記１つまたは複数の属性は、前記パラメータのうちの１つまたは複数のうちの少なくとも１つを定義する、Ｃ３０に記載の方法。
［Ｃ３２］
ＮＡＮに参加する機能を実行するように構成されたプロファイルは、探索するためのサービス識別子、デバイス識別子、探索動作のタイム・アウト、タイミングおよびチャネル情報、１つよりも多くのＮＡＮが存在する場合にＮＡＮを選択するための選択基準から成るグループから選択される１つまたは複数のパラメータを有する、Ｃ２９に記載の方法。
［Ｃ３３］
前記アプリケーションから受信された前記１つまたは複数の属性は、前記パラメータのうちの１つまたは複数のうちの少なくとも１つを定義する、Ｃ３２に記載の方法。
［Ｃ３４］
サービスを求める問い合わせの機能を実行するように構成されたプロファイルは、探索するためのサービス識別子、結果を返す前に蓄積する結果の数、探索問い合わせのタイム・アウト、問い合わせするためのＮＡＮのタイミング・パラメータから成るグループから選択される１つまたは複数のパラメータを有する、Ｃ２９に記載の方法。
［Ｃ３５］
前記アプリケーションから受信された前記１つまたは複数の属性は、前記パラメータのうちの１つまたは複数のうちの少なくとも１つを定義する、Ｃ３４に記載の方法。
［Ｃ３６］
発見エンジンが前記通信を確立し、前記方法は、前記発見エンジンが、前記アプリケーションを実行している第１のプロセッサと、前記近隣エリア・ネットワークとの通信に関する情報を通信することをさらに備える、Ｃ２４に記載の方法。
［Ｃ３７］
前記通信プロファイルはメモリに格納され、前記アプリケーションが、発見エンジンと通信している第１のプロセッサにおいて動作し、前記発見エンジンは、前記アプリケーションからプロファイルの選択を受信し、前記１つまたは複数の属性を受信し、前記プロファイルに前記属性を加え、前記無線デバイスと前記近隣エリア・ネットワークとの間の通信を確立する、Ｃ２４に記載の方法。
［Ｃ３８］
第２のプロセッサが前記発見エンジンを備える、Ｃ３７に記載の方法。
［Ｃ３９］
前記発見エンジンは、受信したパケットを、前記属性および前記プロファイルに基づいてフィルタする、Ｃ３６に記載の方法。
［Ｃ４０］
前記発見エンジンは、前記属性および前記プロファイルに基づいて、参加するＮＡＮを識別する、Ｃ３９に記載の方法。
［Ｃ４１］
前記発見エンジンは、前記識別された、参加するＮＡＮのタイミングとの同期をとる、Ｃ４０に記載の方法。
［Ｃ４２］
前記無線デバイスは送信機をさらに備え、前記発見エンジンは、前記送信機に発見フレームを通信し、前記送信機は、前記発見フレームを、前記識別されたＮＡＮに送信する、Ｃ４０に記載の方法。
［Ｃ４３］
前記ＮＡＮが参加されるのに成功した場合、前記発見エンジンは、前記アプリケーションによって提供され選択されたプロファイルおよび属性に基づいて、前記第１のプロセッサと通信する、Ｃ４２に記載の方法。
［Ｃ４４］
前記発見エンジンは、前記属性および前記プロファイルに基づいて、参加するためのＮＡＮを探索し、前記発見エンジンは、ＮＡＮが発見されることができないのであれば、前記属性およびプロファイルに基づいて、ＮＡＮを確立する、Ｃ３９に記載の方法。
［Ｃ４５］
前記装置がＮＡＮを確立することに成功した場合、前記発見エンジンは、前記属性および前記プロファイルに基づいて、前記第１のプロセッサと通信する、Ｃ４４に記載の方法。
［Ｃ４６］
実行された場合、無線デバイスに、
前記デバイスで動作しているアプリケーションに、１つまたは複数の通信プロファイルの選択を提供することと、
前記提供されたプロファイルのうちの１つの選択を、前記アプリケーションから受信することと、
機能を実行するように前記プロファイルを設定するための情報を含む１つまたは複数の属性を受信することと、
前記プロファイルに前記属性を追加することと、
少なくとも前記追加されたプロファイルに基づいて、前記無線デバイスと少なくとも１つの近隣エリア・ネットワークとの間の通信を確立することと、
を実行させるコード
を備えた、非一時的なコンピュータ読取可能な媒体。
［Ｃ４７］
複数の通信プロファイルが、前記無線デバイスのメモリに格納され、前記格納されたプロファイルの少なくともサブセットの各々が、ユニークなパラメータのセットを有し、前記パラメータは、予め決定されたコンテキストにおける使用のためのプロファイルを提供するように選択される、Ｃ４６に記載の非一時的なコンピュータ読取可能な媒体。
［Ｃ４８］
前記受信された情報を含む１つまたは複数の属性は、前記選択されたプロファイルに存在するパラメータのセットに関連するものに限定される、Ｃ４７に記載の非一時的なコンピュータ読取可能な媒体。
［Ｃ４９］
前記選択されたプロファイルに存在するパラメータのセットに関連する１または複数の属性が、前記プロファイルによって予め定義されている、Ｃ４８に記載の非一時的なコンピュータ読取可能な媒体。
［Ｃ５０］
前記受信された属性のうちの１つまたは複数は、前記プロファイルによって予め決定された属性を修正する、Ｃ４９に記載の非一時的なコンピュータ読取可能な媒体。
［Ｃ５１］
前記格納されたプロファイルのうちの少なくとも１つは、サービスを求める問い合わせ、既存のＮＡＮを発見すること、ＮＡＮを開始すること、ＮＡＮに参加すること、および既存のＮＡＮを別のＮＡＮとマージすることから成るグループから選択される１つまたは複数の機能を実行するように構成された、Ｃ４７に記載の非一時的なコンピュータ読取可能な媒体。
［Ｃ５２］
ＮＡＮを開始する機能を実行するように構成されたプロファイルは、識別子、デバイス位置、タイミング・ソース、通知モード、タイミングのためのインターバル、および問い合わせ応答から成るグループから選択される１つまたは複数のパラメータを有する、Ｃ５１に記載の非一時的なコンピュータ読取可能な媒体。
［Ｃ５３］
前記アプリケーションから受信された前記１つまたは複数の属性は、前記パラメータのうちの１つまたは複数のうちの少なくとも１つを定義する、Ｃ５２に記載の非一時的なコンピュータ読取可能な媒体。
［Ｃ５４］
ＮＡＮに参加する機能を実行するように構成されたプロファイルは、探索するためのサービス識別子、デバイス識別子、探索動作のタイム・アウト、タイミングおよびチャネル情報、１つよりも多くのＮＡＮが存在する場合にＮＡＮを選択するための選択基準から成るグループから選択される１つまたは複数のパラメータを有する、Ｃ５１に記載の非一時的なコンピュータ読取可能な媒体。
［Ｃ５５］
前記アプリケーションから受信された前記１つまたは複数の属性は、前記パラメータのうちの１つまたは複数のうちの少なくとも１つを定義する、Ｃ５４に記載の非一時的なコンピュータ読取可能な媒体。
［Ｃ５６］
サービスを求める問い合わせの機能を実行するように構成されたプロファイルは、探索するためのサービス識別子、結果を返す前に蓄積する結果の数、探索問い合わせのタイム・アウト、問い合わせするためのＮＡＮのタイミング・パラメータから成るグループから選択される１つまたは複数のパラメータを有する、Ｃ５１に記載の非一時的なコンピュータ読取可能な媒体。
［Ｃ５７］
前記アプリケーションから受信された１つまたは複数の属性は、前記パラメータのうちの１つまたは複数のうちの少なくとも１つを定義する、Ｃ５６に記載の非一時的なコンピュータ読取可能な媒体。
［Ｃ５８］
発見エンジンは、前記通信を確立し、前記非一時的なコンピュータ読取可能な媒体は、実行された場合、前記発見エンジンに、前記近隣エリア・ネットワークとの通信に関する情報を、前記アプリケーションを実行している第１のプロセッサへ通信することを実行させるコードをさらに備える、Ｃ４６に記載の非一時的なコンピュータ読取可能な媒体。
［Ｃ５９］
前記通信プロファイルは、メモリに格納され、前記アプリケーションは、発見エンジンと通信している第１のプロセッサにおいて動作し、前記発見エンジンは、前記アプリケーションからプロファイルの選択を受信し、前記１つまたは複数の属性を受信し、前記プロファイルに前記属性を加え、前記無線デバイスと前記近隣エリア・ネットワークとの間の通信を確立する、Ｃ４６に記載の非一時的なコンピュータ読取可能な媒体。
［Ｃ６０］
第２のプロセッサが前記発見エンジンを備える、Ｃ５９に記載の非一時的なコンピュータ読取可能な媒体。
［Ｃ６１］
前記発見エンジンは、受信したパケットを、前記属性および前記プロファイルに基づいてフィルタする、Ｃ５９に記載の非一時的なコンピュータ読取可能な媒体。
［Ｃ６２］
前記発見エンジンは、前記属性および前記プロファイルに基づいて、参加するＮＡＮを識別する、Ｃ６１に記載の非一時的なコンピュータ読取可能な媒体。
［Ｃ６３］
前記発見エンジンは、前記識別された、参加するＮＡＮのタイミングとの同期をとる、Ｃ６２に記載の非一時的なコンピュータ読取可能な媒体。
［Ｃ６４］
前記無線デバイスは送信機をさらに備え、前記発見エンジンは、前記送信機に発見フレームを通信し、前記送信機は、前記発見フレームを、前記識別されたＮＡＮに送信する、Ｃ６２に記載の非一時的なコンピュータ読取可能な媒体。
［Ｃ６５］
前記ＮＡＮが参加されるのに成功した場合、前記発見エンジンは、前記アプリケーションによって提供され選択されたプロファイルおよび属性に基づいて、前記第１のプロセッサと通信する、Ｃ６４に記載の非一時的なコンピュータ読取可能な媒体。
［Ｃ６６］
前記発見エンジンは、前記属性および前記プロファイルに基づいて、参加するＮＡＮを求めて探索し、前記発見エンジンは、ＮＡＮが発見されることができないのであれば、前記属性およびプロファイルに基づいて、ＮＡＮを確立する、Ｃ６１に記載の非一時的なコンピュータ読取可能な媒体。
［Ｃ６７］
前記装置がＮＡＮを確立することに成功した場合、前記発見エンジンは、前記属性および前記プロファイルに基づいて、前記第１のプロセッサと通信する、Ｃ６６に記載の非一時的なコンピュータ読取可能な媒体。
［Ｃ６８］
無線通信システムにおいて動作可能な無線装置であって、
プロファイルに基づいて無線ネットワークと通信するように構成された、第１の計算する手段と、前記プロファイルは、定義された用途パラメータを有し、前記第１の計算する手段は、プロファイルの選択を示す入力をアプリケーションから受信するように構成され、前記第１の計算する手段は、前記アプリケーションから１つまたは複数の属性を受信し、前記１つまたは複数の属性を用いて前記プロファイルを設定するようにさらに構成され、前記属性は、前記アプリケーションによって定義されたようないくつかの機能を実行するように前記プロファイルを設定するための情報を含む、
１つまたは複数のプロファイルを格納するように構成された、データを格納する手段と、
を備える、無線装置。
［Ｃ６９］
前記第１の計算する手段と通信する第２の計算する手段、前記第２の計算する手段は、前記アプリケーションを実行し、プロファイルの選択を、前記第１の計算する手段に通信し、前記選択されたプロファイルの属性を、前記第１の計算する手段へ提供するように構成された、
をさらに備える、Ｃ６８に記載の装置。